(57)【要約】光ファイバケーブルおよび同軸ケーブルなどと共に用いるコンジットスリーブ構造体（２）は、可撓性材料から成る、対の隣接するストリップ形状のレイヤ（６、８、１０、１２）であって、チャンネル（４）を規定し、このチャンネルを通って、ケーブルがレイヤ間で内管構造体を通って長手方向に延在できるように、その長手縁部に沿って合わされるレイヤを含む。隣接するレイヤ（６、８、１０、１２）は長手縁部間の幅が異なり、よって、より幅の広いレイヤがより幅の狭いレイヤから離れて隆起してチャンネルに開口構造を与える。多数のコンジットスリーブ構造体を並列配置で同時に製造し得るように複数のシートおよびプルコード（２２）を積み重ね、配置すれば、コンジットスリーブ構造体をより効率的かつ安価に製造し得ることが判明した。コンジットスリーブ構造体の製造方法は、積み重なった数枚のシートを折り畳み装置（または機構）、縫い合せ装置および裁断装置に給送することを含む。この方法により、スリーブ部材を個々のユニットまたは複数のユニットに望みに応じて分離することができる。好ましい態様では、積み重なった４枚のシートが用いられ、これは最終的には１つのコンジットスリーブにつき３つのセルまたはチャンバを提供する。
2004504794.tif 000002
【特許請求の範囲】
【請求項１】
光ファイバケーブルおよび同軸ケーブルなどのための可撓性コンジットライナーを製造する方法であって、
テキスタイル材料から成る少なくとも２枚のレイヤを縫い合せ機に長手方向に通過させる工程、
複数の長手方向スリーブが形成されるように、複数のシームを該材料に沿って該長手方向に縫う工程、および
所望の数のスリーブを該材料の残部から分離するように、該テキスタイル材料を長手方向に裁断する工程
を含む方法。
【請求項２】
テキスタイル材料から成る少なくとも３枚のレイヤを用い、光ファイバケーブルなどを受容するための少なくとも２つの分け隔てられた内側セルをそれぞれ有する複数のスリーブを提供する、請求項１に記載の方法。
【請求項３】
保管または移送のために、個々のスリーブをロール状にする工程を更に含む、請求項１に記載の方法。
【請求項４】
テキスタイル材料が、織布、編物、不織布、樹脂結合スクリム、プラスチックシート、横糸挿入物、またはこれらの任意の組み合せを含む群から選択される、請求項１に記載の方法。
【請求項５】
膨らんでいるが折り畳み可能なセル構造を有するスリーブを提供するように、縫い合せに先立って、前記材料から成る少なくとも上側または下側のレイヤを折り畳む工程を更に含む、請求項２に記載の方法。
【請求項６】
１つのプルコードが各々の前記スリーブの各セル内にスライド可能に配置されるように、複数のプルコードを供給する工程を更に含む、請求項２に記載の方法。
【請求項７】
テキスタイル材料から成る少なくとも４枚のレイヤを用い、光ファイバケーブルなどを受容するための少なくとも３つの分け隔てられた内側セルをそれぞれ有する複数のスリーブを提供する、請求項１に記載の方法。
【請求項８】
裁断後に、各スリーブの両側部に仕上げ耳を提供するように、前記シーム間に接着剤を塗布する工程を更に含む、請求項１に記載の方法。
【請求項９】
裁断後に、各スリーブの両側部に仕上げ耳を提供するように、前記シーム間にて前記材料を熱的に結合する工程を更に含む、請求項１に記載の方法。
【請求項１０】
前記材料を裁断するためにホットナイフを用いる工程を更に含む、請求項１に記載の方法。
【請求項１１】
スリーブ内の各々の前記セルが、該スリーブ内の他のセルと区別し得るようにマーキングされている、請求項２に記載の方法。
【請求項１２】
各スリーブ内の前記プルテープの少なくとも１つが、規則的な増量分でマーキングされている、請求項６に記載の方法。
【請求項１３】
スリーブ内の前記プルテープの各々が、該スリーブ内の他のプルテープと区別し得るようにプリントまたは着色されている、請求項６に記載の方法。
【請求項１４】
光ファイバケーブルおよび同軸ケーブルなどのための可撓性コンジットスリーブを製造する方法であって、
テキスタイル材料から成る少なくとも２枚の積み重なったレイヤを提供する工程、
複数の並行な長手シームを形成することによって該積み重なったレイヤを一体に付着させ、これにより、複数の並行な長手方向スリーブを形成する工程、および
所望の数のスリーブを該材料から分離して個々のスリーブまたは複数スリーブのセットとする工程
を含む方法。
【請求項１５】
移送、保管または使用のために、前記個々のスリーブまたはスリーブのセットをロール状にする工程を更に含む、請求項１４に記載の方法。
【請求項１６】
前記長手シームが熱的な結合により形成される、請求項１４に記載の方法。
【請求項１７】
前記長手シームが接着剤を塗布することにより形成される、請求項１４に記載の方法。
【請求項１８】
テキスタイル材料から成る少なくとも３枚のレイヤを用い、光ファイバケーブルなどを受容するための少なくとも２つの分け隔てられた内側セルをそれぞれ有する複数のスリーブを提供する、請求項１４に記載の方法。
【請求項１９】
前記テキスタイル材料が、織布、編物、不織布、樹脂結合スクリム、プラスチックシート、横糸挿入物、またはこれらの任意の組み合せを含む群から選択される、請求項１４に記載の方法。
【請求項２０】
膨らんでいるが折り畳み可能なセル構造を有するスリーブを提供する、前記シームを形成するに先立って、前記材料から成る少なくとも上側または下側のレイヤを折り畳む工程を更に含む、請求項１８に記載の方法。
【請求項２１】
１つのプルコードが各々の前記スリーブの各セル内にスライド可能に配置されるように、複数のプルコードを供給する工程を更に含む、請求項１８に記載の方法。
【請求項２２】
テキスタイル材料から成る少なくとも４枚のレイヤを用い、光ファイバケーブルなどを受容するための少なくとも３つの分け隔てられた内側セルをそれぞれ有する複数のスリーブを提供する、請求項１４に記載の方法。
【請求項２３】
スリーブ内の各々の前記セルが、該スリーブ内の他のセルと区別し得るようにマーキングされている、請求項１８に記載の方法。
【請求項２４】
各スリーブ内の前記プルテープの少なくとも１つが、規則的な増量分でマーキングされている、請求項２１に記載の方法。
【請求項２５】
スリーブ内の前記プルテープの各々が、該スリーブ内の他のプルテープと区別し得るようにプリントまたは着色されている、請求項２１に記載の方法。
【請求項２６】
請求項１に記載の方法により作製される器具。
【請求項２７】
請求項２に記載の方法により作製される器具。
【請求項２８】
請求項３に記載の方法により作製される器具。
【請求項２９】
請求項４に記載の方法により作製される器具。
【請求項３０】
請求項５に記載の方法により作製される器具。
【請求項３１】
請求項６に記載の方法により作製される器具。
【請求項３２】
請求項７に記載の方法により作製される器具。
【請求項３３】
請求項８に記載の方法により作製される器具。
【請求項３４】
請求項９に記載の方法により作製される器具。
【請求項３５】
請求項１０に記載の方法により作製される器具。
【請求項３６】
請求項１１に記載の方法により作製される器具。
【請求項３７】
請求項１２に記載の方法により作製される器具。
【請求項３８】
請求項１３に記載の方法により作製される器具。
【請求項３９】
請求項１４に記載の方法により作製される器具。
【請求項４０】
請求項１５に記載の方法により作製される器具。
【請求項４１】
請求項１６に記載の方法により作製される器具。
【請求項４２】
請求項１７に記載の方法により作製される器具。
【請求項４３】
請求項１８に記載の方法により作製される器具。
【請求項４４】
請求項１９に記載の方法により作製される器具。
【請求項４５】
請求項２０に記載の方法により作製される器具。
【請求項４６】
請求項２１に記載の方法により作製される器具。
【請求項４７】
請求項２２に記載の方法により作製される器具。
【請求項４８】
請求項２３に記載の方法により作製される器具。
【請求項４９】
請求項２４に記載の方法により作製される器具。
【請求項５０】
請求項２５に記載の方法により作製される器具。
【請求項５１】
光ファイバケーブルおよび同軸ケーブルなどのための可撓性テキスタイルコンジットであって、
並行関係で配置および接続された少なくとも２つのスリーブ部材を有して成り、
各スリーブ部材は、ケーブルなどを受容するための少なくとも１つのセルを有する、
可撓性テキスタイルコンジット。
【請求項５２】
各スリーブ部材が、セル毎に１つのケーブルを受容するための少なくとも２つのセルを含む、請求項５１に記載のテキスタイルコンジット。
【請求項５３】
前記スリーブ部材のそれぞれの間に穿孔が設けられ、これにより、該スリーブ部材が互いに容易に分離され得る、請求項５１に記載のテキスタイルコンジット。
【請求項５４】
プルテープが、各セル内にスライド可能な関係で配置されている、請求項５１に記載のテキスタイルコンジット。
【請求項５５】
前記構造体が少なくとも２つの別々のシート材料から形成されている、請求項５１に記載のテキスタイルコンジット。
【請求項５６】
前記テキスタイル材料が、織布、編物、不織布、樹脂結合スクリム、プラスチックシート、横糸挿入物、またはこれらの任意の組み合せを含む群から選択される、請求項５１に記載のテキスタイルコンジット。
【請求項５７】
前記スリーブおよびセルは、開口しているが横断方向に折り畳み可能なセル構造にバイアスしている、請求項５１に記載のテキスタイルコンジット。
【請求項５８】
スリーブ内の各々の前記セルが、該スリーブ内の他のセルと区別し得るようにマーキングされている、請求項５２に記載のテキスタイルコンジット。
【請求項５９】
各スリーブ内の前記プルテープの少なくとも１つが、規則的な増量分でマーキングされている、請求項５４に記載のテキスタイルコンジット。
【請求項６０】
スリーブ内の前記プルテープの各々が、該スリーブ内の他のプルテープと区別し得るようにプリントまたは着色されている、請求項５４に記載のテキスタイルコンジット。
【請求項６１】
各スリーブが、ケーブルなどを受容するための３つのセルを含む、請求項５２に記載のテキスタイルコンジット。
【発明の詳細な説明】
【０００１】
背景技術
１．技術分野
本発明は、概して、例えば光ファイバーケーブルまたは同軸ケーブルなどのような地下（または地中）ケーブルのハウジングに用いられ得るタイプの管状コンジット（または導管）に関する。より詳細には、本発明は、そのようなコンジットを、分け隔てられたチャンバまたはセルに分割するようにしてコンジットに挿入され得る仕切り器具およびこのような器具の製造方法に関する。
【０００２】
例えば光ファイバー通信ケーブルなどのケーブルは、しばしば、かなりの距離に亘って地下に埋設される。当該技術分野においては、地上空間にケーブルおよびその各々の支持器具が散在しないようにケーブルを地下に埋めることが知られている。更に、ケーブルを地下に埋設することによって、天候およびその他の損傷を与え得る環境からケーブルを一層保護する。
【０００３】
また、地中のケーブルをより完全に保護するためにケーブルをコンジット内に配設することもケーブル技術の分野において知られている。コンジットは、多くは、ポリ塩化ビニルチューブなどから形成され、地中に埋設される。そして、ロープがコンジットに通され（またはブロー供給され）、このロープは次いでケーブルの一端に繋がれる。ロープを引っ張ることにより、ケーブルがコンジットを通って引っ張られる。一旦、コンジット内にて所定のように配置されると、天候および水などによってもたらされ得る損傷からケーブルが保護される。
【０００４】
ある種の齧歯動物は、地下コンジットを齧ることがあることがわかっている。従って、ほとんどの地下コンジットには、大抵の齧歯動物による損傷を妨げるのに十分に大きい、２インチ以上の直径を有するものが用いられている。このようなコンジットによりケーブルの優れた保護が得られるが、このようなコンジットには大きな不使用空間または「デッド」スペースが存在することともなる。直径わずか１／２インチ以下であり得る光ファイバーケーブルの出現によって、平均的なコンジットの断面積の大部分はデッドスペースとなる。
【０００５】
コンジットを設置した後、第２のケーブルを該コンジットに通すことが、後から求められる場合もあり得る。そのような場合、新たなコンジットを設置するよりも、既存のコンジット内のデッドスペースを利用する方が、コストおよび時間の面から望ましいであろう。しかしながら、第１のケーブルを既に収容しているコンジット内に第２のケーブルを単に挿入することは困難であることが判明した。ケーブルを既に収容しているコンジットにロープを通し（またはブロー供給し）たり、第２のケーブルをスネークさせて（またはくねり進ませて）コンジットに通そうとすると、これらは、多くの場合、第１のケーブルに邪魔され、第２のケーブルを挿入できない。
【０００６】
上述の障害のいくつかを克服した製品がある。シングルスリーブ内管（インナーダクト）構造体は、可撓性テキスタイル材料から成る、対の隣接するストリップ形状（または長尺小片状）のレイヤ（層）であって、チャンネルを規定し、このチャンネルを通って、ケーブルがレイヤ間で内管構造体を通って長手方向に延在できるように、それらの長手（長手方向の）縁部に沿って合わされるレイヤを含む。隣接するレイヤは、それらの長手縁部間の幅が異なり、よって、より幅の広いレイヤがより幅の狭いレイヤから離れて隆起して（または突き出て、もしくは膨らんで）チャンネルに開口構造を与える。従って、このような可撓性コンジット仕切り器具を安価かつ効率的に製造する方法が必要とされている。更に、いくつかの用途では、各スリーブがケーブルなどを受容するための複数のセルを含む、マルチスリーブコンジット仕切り器具を提供することが望ましい。
【０００７】
２．従来技術の説明
本明細書において引用する全ての特許は、参照することによりその全体が組み込まれる。
【０００８】
Ａｌｌｅｎの米国特許第５，５８７，１１５号は、ダイを通じてケーシングを押出し成形し、これと同時に、複数のチャンバを形成するようにケーシングが押出されるときにウェブ（または織物もしくは編物）部材をケーシングに供給することによって、浮動仕切りを有するコンジットアセンブリを製造する方法を指向したものである。コンジットアセンブリがライン、例えばロープまたはケーブルなどを有して製造される場合、ロープおよび／またはケーブルは、チャンバの１つまたは双方へ、ウェブ部材に隣接してケーシングに同様に供給される。
【０００９】
Ｃａｋｍａｋｃｉの米国特許第４，８３６，９６８号は、少なくとも２つの分け隔てられた長手方向に延在する実質的に並行な第１および第２のチャンバを含むマルチチャンバコンジットインサートへと、プラスチック材料を連続的に押出すことによって、光ファイバダクトインサートを製造する方法を指向したものである。各チャンバの断面構造は、略並行な内側および外側の側壁であって、それらの一方の縁部が底壁で繋がり、それらの反対側の縁部が上壁で繋がっている側壁によって規定される。ヒンジ部により、チャンバの内側壁と底壁との隣接する縁部間が一体に接続される。製造プロセスの間に内側壁の外面を冷媒に曝すため、内側壁の反対側の端部は、内側壁の隣接する端部よりも離れて配置される。
【００１０】
Ｈｕｂｂａｒｄの米国特許第４，５８２，０９３号は、シングルチャンバのコンジットをマルチチャンバのコンジットに換えるのに利用できるマルチチャンバコンジットインサートを得るように、プラスチック押出しプロセスを利用することによって、光ファイバダクトインサートを製造する方法を開示している。特に、コンジットインサートは長手方向に延在して協動する複数の壁を含み、この壁は湾曲した外側表面部を有し、また、並行な、分け隔てられた、同一の広がりを持つ複数のチャンバを規定する。該発明の好ましい態様においては、２つの等価なコンジットインサートが背中合わせの関係で配置され、シングルチャンバコンジットへ挿入するためのインサートアセンブリを形成する。
【００１１】
シングルコンジット内への複数のケーブルの配置を容易にする器具に関する技術水準を示す他の特許には次のものがある。
【００１２】
【表１】
米国特許番号　　　　　　発明者
４，６１９，２９１　　　Ｓｈｉｒｉａｎ
４，７９３，５９６　　　Ｋｕｍｐｆ
５，０２９，８１５　　　Ｋｕｍｐｆ
５，０７４，５２７　　　Ｋｕｍｐｆ
５，４４２，１３６　　　Ａｌｌｅｎ
【００１３】
これら器具の多くに関する１つの問題点は、これら器具は、ほとんどの場合、押出し成形されたプラスチック製品であって、十分に曲がらず、捩れないことにある。半剛性のプラスチック構造体を剛性のパイプまたはチューブに、特にケーブルを既に収容しているものに入れようとするのは困難である。また、剛性の仕切りを挿入する速度は、摩擦による熱および抵抗のために極めて制限される。可撓性マルチセルテキスタイルスリーブコンジットでは上記の問題は克服され、よって、この製品を効率的かつ安価に製造する方法が求められている。更に、より大きなケーブル束を受容（または収容）するために、１つのスリーブにつき複数のセルを含むマルチスリーブコンジットならびにそのような器具の製造方法が求められている。
【００１４】
発明の目的
従って、本発明の重要な目的は、光ファイバケーブルおよび同軸ケーブルなどのための可撓性マルチセル内管構造体を効率的かつ安価に製造する方法を提供することにある。
【００１５】
また、本発明のもう１つの重要な目的は、製造プロセスの間にプル（引張）コードまたはプルテープが挿入され、スライド可能に配置された可撓性内管構造体を製造する方法を提供することにある。
【００１６】
本発明のもう１つの重要な目的は、並列に配置された、一連の可撓性マルチセル内管スリーブ構造体であって、各スリーブ構造体をその他のものから個々に分離でき、あるいは、２つまたは３つ（あるいはそれ以上）のスリーブの組み合せを所望の用途のために並列配置のまま維持できるもの、ならびにそのような器具を製造する方法を提供することにある。
【００１７】
本発明の更にもう１つの重要な目的は、通路拡張構造（但し、巻き上げ構造へと折り畳み可能である）にバイアスして（偏向して、または片寄って）いる可撓性マルチセルケーブルコンジット構造体を製造する自動化方法を提供することにある。
【００１８】
本発明のもう１つの重要な目的は、可撓性マルチセルケーブルコンジット構造体およびこれを工業的に（または大量に）製造する方法であって、その他のマルチチャンバコンジット構造体およびその製造方法に関する問題のいくつかを克服するものを提供することにある。
【００１９】
本発明のこれらおよびその他の特徴、要旨および利点は、以下の説明、特許請求の範囲および図面からよりよく理解されるであろう。
【００２０】
詳細な説明
次に図１を参照して、光ファイバケーブルまたは同軸ケーブルなどのためのシングル内管コンジットスリーブ構造体として用いるのに適する、可撓性マルチセルケーブルコンジット２が示される。構造体の本態様は米国特許出願第０９／４００，７７８号に開示されており、参照することによりその全体が本明細書に組み込まれる。コンジット構造体は、相互に繋がったファブリックから成るレイヤ６、８、１０、１２によって形成される複数のチャンネル４を規定する。本発明の第１の態様においては、構造体には上述のレイヤによって形成された３つのチャンネル４が含まれ、これらは、下側のレイヤ６の縁部が他のレイヤの縁部に重なることによって、互いに反対に位置する長手側方縁部において相互に繋がっている。レイヤは縫い合わされるか、レイヤを一体に接続する他の好適な方法、例えば超音波溶着または接着などによって接続される。図１からわかるように、下側のストリップの、互いに反対に位置する長手側方縁部は、他のストリップの側方縁部を覆って重ねられ、縫い合わされて図示する構造体を形成している。
【００２１】
次に図２に移って、本発明による別の態様のコンジット構造体２０が示される。複数のコンジット構造体スリーブを図示するように並列配置で同時に製造し得るように、複数のシートおよびプルコード２２を積み重ね、配置すれば、コンジット構造体をより効率的かつ安価に製造し得ることが判明した。図２は、スリーブ部材２が並列関係で相互に接続されているそのような態様を示す。この態様により、スリーブ部材を個々のユニットまたは複数のユニットに望みに応じて（または所望の通りに）分離することができる。分離した後、下側のレイヤが他のレイヤの縁部を包み込んで裏打ちしている図１に示す態様とは異なって、各レイヤが他のレイヤと面一になる（または端が揃う）ようにして（図３）、コンジットスリーブの長手縁部が裁断される。
【００２２】
図２に示す態様の製造方法は、積み重なった数枚のシート６、８、１０および１２を折り畳み装置（または機構）、縫い合せ装置および裁断装置に給送することを含む。好ましい態様においては、積み重なった４枚のシートが用いられ、これは最終的には１つのコンジットスリーブ２につき３つのセル４またはチャンバを提供する。しかしながら、１つのコンジットスリーブにつき所望の数のセルを提供するために、任意の枚数のシートを用いてよいことが理解されるべきである。
【００２３】
別の態様においては、積み重なった別々のシート材料を用いず、最終製品で複数のレイヤを形成するように１枚のシート材料を折り畳んでもよい。所望であれば、最終製品全体を１枚のシート材料から作製してよい。
【００２４】
製造プロセスの好ましい態様においては、積み重なったシートは、まず、１枚のシートを横断方向に張る折り畳み機構に通される。他のシートは、本質的に長手方向に延びるリッジまたは波を材料の横断方向に亘って形成するように折り畳まれる。これらリッジは、張られたシートからリッジの中心点にて離れて隆起せざるを得ないシート材料の部分であり、最終的には各コンジットスリーブ内で長手方向のチャンバまたはセルを形成する。折り畳み装置は、リッジによって形成された各セル内にプルテープまたはプルコード２２を供給し、各セルは最終的にはプルテープをスライド可能な関係で含む。
【００２５】
製造プロセスにおけるオプションの工程として、好適な接着剤が、リッジの間の長手方向の接触線に沿って供給される。この工程により、全レイヤを長手方向に一体に結合するための接着剤レイヤが、内管ライナーを別々のユニットまたはスリーブに裁断する長手方向の２つの縫い合せ線（これらは本製造プロセスにおいてまだ現われていない）の間にて提供される。この構成により、材料のほころびまたはほつれを防止するため、裁断工程の後に各スリーブの両側部に仕上げ耳（ｆｉｎｉｓｈｅｄ ｓｅｌｖａｇｅ）を提供する。
【００２６】
リッジを形成し、プルテープの少なくとも第１の部分を挿入した後、積み重なった材料は、例えばカール・マイヤー（Ｋａｒｌ Ｍａｙｅｒ）社のマリワット（Ｍａｌｉｗａｔｔ）などの縫い合せ装置に供給される。各リッジの間にて２つのシームがリッジの基部に沿って、好ましくは１／２インチ離れて長手方向に縫われる。図２に示すように、シームによってリッジは開口構造にて保持される。別の態様においては、レイヤ材料は、縫い合せ（ステッチ）ではなく、例えば接着剤、ホットメルト、超音波溶着またはこれらの組み合せを含む他の任意の好適な手段を含む他の手段によって一体に保持されてよい。
【００２７】
縫い合せの後、組み立てられた材料は、個々のストリップまたは複数の並行なストリップへと、所望の通りに裁断される。この材料は２つの縫い合せの間にて裁断されて、各コンジット構造体は１つのシームを長手方向の両側部に含むようになる。レイヤを一体に接着するために他の手段を用いる場合、裁断工程によって、コンジットスリーブ構造体の両側部にあるシームが損われないようにすることが重要である。この製造プロセスの目的は、コンジットスリーブおよび／またはセルの構造的一体性を損うことなく、必要に応じて分離可能な、複数の並行なストリップから成るコンジット構造体を提供することにある。シングルスリーブユニットを提供するように材料を裁断することが望ましく、あるいは、ダブルスリーブユニットまたはトリプルスリーブユニットなどに材料を裁断することが望ましいであろう。好ましい裁断方法には回転切断法およびこれに代わるような、超音波、ホットナイフおよび回転刃などを含む切断操作に有用な方法がある。
【００２８】
別法では、並行なスリーブから成るアセンブリ（組立体）は、スリーブ間にて穿孔（または目打ち）されていてよく、これにより裁断工程の必要性を排除することができる。穿孔により、シングルスリーブ構造およびダブルスリーブ構造などを含む任意の構造にスリーブを分離することができる。この分離工程は、必要に応じて現場で実施され得、よって、製造プロセスが完了した後に所望のスリーブ数を決定し得る。
【００２９】
好ましい態様においては、裁断工程の後、移送および保管のために、コンジットスリーブ構造体はロール状とされる。好ましいコンジットスリーブ構造体によれば、スリーブをロールに平らな構造で押し付けることができ、また、開口セル構造でロールから引き出すことができる。移送および保管のためにコンジットスリーブを回収するのに、箱およびリールなどを含む他の手段を用いてよい。
【００３０】
もう１つのオプションでは、コンジットスリーブ内の分け隔てられたセルを区別（識別）するために、符号化（コーディング）手段または識別手段が提供される。ケーブルをコンジットスリーブに通して引張ろうとするには、１つのセルを別のセルから区別できるようにすることが重要である。スリーブの一端の側にてケーブルにプルテープを取り付けた者は、コンジットスリーブを通してどのプルテープを引張り始めるかについて、他端の側に居る別の者と連絡する必要がある。このセルの区別は、セルまたはレイヤの色分け（または色コードによる区別）、プリント、あるいはシームの色分けを含む種々の方法でなされるであろう。更に、コンジットスリーブの外側レイヤは、規則的な増量分で（または、一定の区切り毎に）、例えばフィートまたはメーターなどでマーキングされていてよい。セルを色分けするために、コンジットを形成する種々のレイヤは様々な色とされ得る。あるいは、セルを区別するためにプルテープを色分けしてもよい。好ましい態様においては、プルテープは規則的な増量分で（または一定の区切りもしくは間隔で）マーキングされており、これにより、コンジットスリーブを配置した後、ある特定のジョブ（仕事）に対し、どの程度の長さのケーブルが必要であるかを決めるのに役立つ。要するに、セルを区別するためおよびスリーブおよび／またはプルテープを計測するために、任意の好適な方法を用いてよい。
【００３１】
従って、本明細書に包含される好ましい態様についての説明によって、特許請求の範囲および概念は制限されるべきでない。本明細書にて開示された全ての特徴は、他に明白に言及されていない限り、同等、均等または類似の目的を果たす別の特徴によって置換され得る。よって、他に明白に言及されていない限り、開示された各特徴は包括的な一連の均等または類似の特徴の一例に過ぎない。
【図面の簡単な説明】
【図１】図１は、可撓性マルチセルケーブルコンジットスリーブの斜視図である。
【図２】図２は、本発明により並列に作製された、一連の可撓性マルチセルコンジットスリーブの斜視図である。
【図３】図３は、均等で、面一の（端の揃った）長手縁部を有する可撓性マルチセルケーブルコンジットスリーブの斜視図である。
【国際公開パンフレット】
2004504794.tif 000003
2004504794.tif 000004
2004504794.tif 000005
2004504794.tif 000006
2004504794.tif 000007
2004504794.tif 000008
2004504794.tif 000009
2004504794.tif 000010
2004504794.tif 000011
2004504794.tif 000012
2004504794.tif 000013
2004504794.tif 000014
2004504794.tif 000015
2004504794.tif 000016
2004504794.tif 000017
2004504794.tif 000018
2004504794.tif 000019
2004504794.tif 000020
2004504794.tif 000021
2004504794.tif 000022
2004504794.tif 000023
2004504794.tif 000024
2004504794.tif 000025
【国際調査報告】
2004504794.tif 000026
2004504794.tif 000027